(57)【要約】【課題】ある端末でコンテンツの選択、購入等の繁雑な手続を行い、他の端末で具体的にダウンロードを行うことが可能なサービス提供方法およびシステムを提供する。【解決手段】利用者ＰＣ端末１０ＡからＷＷＷサーバ２０にアクセスした後、認証コントローラ２３により利用者認証が正当に行われると、指定したコンテンツに対応した専用ＩＤが専用ＩＤ生成部２５により生成され、専用ＩＤ格納テーブル２４に格納された後、利用者携帯端末１０Ｂに送信される。利用者携帯端末１０ＢからＷＷＷサーバ２０にアクセスして、取得した専用ＩＤを送信すると、認証コントローラ２３が専用ＩＤ格納テーブル２４からコンテンツファイル名を取得し、ＷＷＷサービス応答送信部２２が、対応するコンテンツファイルをＷＷＷコンテンツ格納部３１から抽出して利用者携帯端末１０Ｂに送信する。【選択図】　図１
2004070426.tif 000002
【特許請求の範囲】
【請求項１】
第１の利用者端末と、第２の利用者端末がネットワークを介して、サービス提供サーバに接続されており、サービス提供サーバからサービスの提供を受けるための専用ＩＤを取得する方法であって、
前記第１の利用者端末から前記サービス提供サーバに認証情報を送信する段階と、
サービス提供サーバが予め登録している利用者の認証用情報と前記認証情報の照合を行って利用者の認証を行う段階と、
認証が正しく行われた場合に、前記第１の利用者端末から要求されたサービスと前記認証情報に対応する専用ＩＤを生成する段階と、
前記生成した専用ＩＤを前記サービスと対応付けて記録する段階と、
前記生成した専用ＩＤを前記第２の利用者端末に送信する段階と、
を有することを特徴とする専用ＩＤ取得方法。
【請求項２】
利用者端末がネットワークを介して、サービス提供サーバに接続されており、サービス提供サーバから受信した専用ＩＤを利用してサービスの提供サービスの提供を受けるための方法であって、
前記利用者端末から前記サービス提供サーバに専用ＩＤを送信する段階と、
前記専用ＩＤにより、前記サービス提供サーバが保有している専用ＩＤとサービス内容の対応関係を示すテーブルを参照して認証処理を行う段階と、
認証が正しく行われた場合に、前記専用ＩＤに対応するサービスに必要な情報を抽出して当該サービスを前記利用者端末に提供する段階と、
を有することを特徴とするサービス提供方法。
【請求項３】
第１の利用者端末と、第２の利用者端末がネットワークを介して、サービス提供サーバに接続されており、前記利用者端末から前記サービス提供サーバのサービスの提供を受けるためのシステムであって、
前記第１の利用者端末は、前記サービス提供サーバに対して提供を受けるサービスを指定すると共に当該サービスを受けるための専用ＩＤを要求する専用ＩＤ要求手段と、前記サービス提供サーバから前記専用ＩＤを受信する専用ＩＤ受信手段と、を有し、
前記サービス提供サーバは、利用者端末からのアクセスを受け付けると共に、当該アクセスの種類を判断する要求受付手段と、前記アクセスの種類が専用ＩＤの要求である場合に前記利用者の認証を行う機能と、前記アクセスの種類がサービス提供の要求である場合に専用ＩＤの認証を行う機能を有する利用者認証手段と、前記利用者認証の結果、正当な利用者であると判断された場合に特定サービス専用のＩＤである専用ＩＤを生成する専用ＩＤ生成手段と、前記生成された専用ＩＤを格納する専用ＩＤ格納手段と、前記アクセスの種類が専用ＩＤの要求である場合に、生成した専用ＩＤを前記利用者端末に送信する機能を有すると共に、前記アクセスの種類がサービス提供の要求である場合に、受信した専用ＩＤで前記専用ＩＤ格納手段を参照して対応するサービスに対応する情報を前記第２の利用者端末に送信する機能を有する応答送信手段と、
を有することを特徴とするサービス提供システム。
【発明の詳細な説明】
【０００１】
【産業上の利用分野】
本発明は、ネットワークを利用して、コンテンツのダウンロード等のサービスの提供を行うための技術に関する。
【０００２】
【従来の技術】
従来より、コンテンツを管理するサーバコンピュータからネットワークに接続される利用者の端末にコンテンツのダウンロードを行うサービスが行われている。近年では、ネットワークに接続される利用者の端末とそれに紐付くアプリケーションが多様化し、それぞれ提供されるサービスも特化してきている。例えば、携帯電話における着信メロディのダウンロードサービスやテレビゲーム機でのオンラインゲームサービスがこれに該当する。
【０００３】
【発明が解決しようとする課題】
上記のようなサービスでは、ダウンロードするコンテンツがハードウェアにより異なっており、仕様の異なるハードウェアにダウンロードすると、上手く機能しないようになっている。そのため、ダウンロード自体は専用の端末で行う必要がある。ところが、そのダウンロードを行う権利の購入手続を行う場合、認証のためのデータ入力や料金決済のためのデータ入力など繁雑な操作が必要になる。このため、繁雑な操作は、パーソナルコンピュータ等のユーザインタフェースに優れた端末で行い、ダウンロードは、目的とする専用の端末で行いたいという要望がある。
【０００４】
また、携帯電話のような携帯用の小型の端末にダウンロードを行う場合、精度の高い認証システムを搭載しづらいという問題がある。例えば、汎用機であるＰＣ（パーソナルコンピュータ）端末向けには、特殊な暗号化・通信を行うソフトウェアやＩＣカードや指紋認証といったハードウェアを利用した高度な認証方式が開発され、実用化されてきているが、このような機器はＰＣには接続し易いが、小型の携帯端末には搭載しづらい。そこで、認証はＰＣ等で行い、ダウンロードは、目的とする端末で行いたいという要望がある。
【０００５】
上記のような点に鑑み、本発明は、ある端末でコンテンツの選択、購入等の繁雑な手続を行い、他の端末で具体的にダウンロードを行うことが可能なサービス提供方法およびシステムを提供することを課題とする。
【０００６】
【課題を解決するための手段】
上記課題を解決するため、本発明では、第１の利用者端末と、第２の利用者端末がネットワークを介して、サービス提供サーバに接続されており、前記利用者端末から前記サービス提供サーバのサービスの提供を受けるためのシステムを、前記第１の利用者端末が、前記サービス提供サーバに対して提供を受けるサービスを指定すると共に当該サービスを受けるための専用ＩＤを要求する専用ＩＤ要求手段と、前記サービス提供サーバから専用ＩＤを受信する専用ＩＤ受信手段を有する構成とし、前記サービス提供サーバが、利用者端末からのアクセスを受け付けると共に、当該アクセスの種類を判断する要求受付手段と、前記アクセスの種類が専用ＩＤの要求である場合に前記利用者の認証を行う機能と、前記アクセスの種類がサービス提供の要求である場合に専用ＩＤの認証を行う機能を有する利用者認証手段と、前記利用者認証の結果正当な利用者であると判断された場合に特定サービス専用のＩＤである専用ＩＤを生成する専用ＩＤ生成手段と、前記生成された専用ＩＤを格納する専用ＩＤ格納手段と、前記アクセスの種類が専用ＩＤの要求である場合に、生成した専用ＩＤを前記利用者端末に送信する機能を有すると共に、前記アクセスの種類がサービス提供の要求である場合に、受信した専用ＩＤで前記専用ＩＤ格納手段を参照して対応するサービスに対応する情報を前記第２の利用者端末に送信する機能を有する応答送信手段を有する構成としたことを特徴とする。
本発明によれば、サービス提供サーバに対して、ＰＣ等のインターフェースに優れ、高精度の認証が可能な端末からアクセスして、認証を行い、正しく認証された場合に、指定されたコンテンツに対応する専用ＩＤを生成して、携帯端末等の、他の端末に送信し、受信した専用ＩＤを利用してサービス提供サーバに要求を送信し、サービス提供サーバが受信した専用ＩＤの認証を行って対応するサービスを提供するようにしたので、ある端末でコンテンツの選択、購入等の繁雑な手続を行い、他の端末で具体的にダウンロードを行うことが可能となる。また、ある端末で高精度な認証を行い、他の端末で簡易にダウンロードを行うことが可能となる。
【０００７】
【発明の実施の形態】
以下、本発明の好適な実施形態について、図面を参照して詳細に説明する。
（システム構成）
図１は、本発明に係るサービス提供システムの一実施形態を示す構成図である。図１において、１０Ａは利用者ＰＣ端末、１０Ｂは利用者携帯端末、２０はＷＷＷサーバ、２１はＷＷＷサービス要求受付部、２２はＷＷＷサービス応答送信部、２３は認証コントローラ、２４は専用ＩＤ格納テーブル、２５は専用ＩＤ生成部、３０はユーザ認証用情報格納部、３１はＷＷＷコンテンツ格納部、４０はインターネット網である。
【０００８】
利用者ＰＣ端末１０Ａは、利用者が利用するコンピュータ端末であり、ユーザインタフェースに優れ、ＷＷＷサービス利用時における複雑な手続を行うことが可能であると共に、認証機器の接続が可能であり、高度な認証を可能としている。利用者携帯端末１０Ｂは、利用者が利用する携帯端末であり、ＷＷＷサービスを搭載してＷＷＷサービスの利用は可能となっているが、複雑な手続を行う処理には向いていないものである。利用者携帯端末１０Ｂとしては、携帯電話器、ＰＤＡ（Ｐｅｒｓｏｎａｌ　Ｄｉｇｉｔａｌ　Ａｓｓｉｓｔａｎｔ：携帯情報端末）等が利用可能である。
【０００９】
ＷＷＷサーバ２０は、ＷＷＷ（Ｗｏｒｌｄ　Ｗｉｄｅ　Ｗｅｂ）サーバ機能を備えたサーバコンピュータであり、ＷＷＷサービス要求受付部２１、ＷＷＷサービス応答送信部２２、認証コントローラ２３、専用ＩＤ格納テーブル２４、専用ＩＤ生成部２５を有している。ＷＷＷサービス要求受付部２１は、インターネットを介して要求されたＷＷＷサービスのリクエストを受け付ける機能を有している。ＷＷＷサービス応答送信部２２は、ＷＷＷサービス要求受付部２１が受け付けたリクエストに対して、ＷＷＷサーバ２０が行った処理の結果を、リクエストのあった端末に送信する機能を有している。認証コントローラ２３は、ＷＷＷサービス要求受付部２１にＷＷＷサービスをリクエストした利用者の認証を行う機能を有している。専用ＩＤ格納テーブル２４は、生成された専用ＩＤを格納する機能を有している。
【００１０】
ここで、専用ＩＤ格納テーブル２４に格納される情報の一例を図２に示す。図２に示すように、専用ＩＤ格納テーブル２４には、専用ＩＤ、コンテンツファイル、生成日時が記録されている。「専用ＩＤ」は、サービスの要求をした利用者およびコンテンツファイルの組合せに対して生成されるＩＤである。「コンテンツファイル」は、本実施形態において提供するサービスであるダウンロードの対象となるコンテンツデータを記録したファイルであり、ここでは、そのパス名を含めて記録されている。「生成日時」は、専用ＩＤが作成された日時を示しており、本実施形態では、年月日および時分秒まで記録している。専用ＩＤ生成部２５は、専用ＩＤを生成する機能を有している。ＷＷＷサービス要求受付部２１、ＷＷＷサービス応答送信部２２、認証コントローラ２３、専用ＩＤ格納テーブル２４、専用ＩＤ生成部２５の各構成要素は、ＷＷＷサーバに搭載される専用のソフトウェアプログラムにより実現される。また、専用ＩＤ格納テーブル２４に必要な記憶領域は、ハードディスク等の外部記憶装置等に用意される。
【００１１】
ユーザ認証用情報格納部３０は、ユーザ認証用の情報を格納するための記憶装置である。ＷＷＷコンテンツ格納部３１は、ＷＷＷサービス用のコンテンツデータを格納するための記憶装置である。ユーザ認証用情報格納部３０、ＷＷＷコンテンツ格納部３１はＷＷＷサーバ３０に接続されたハードディスク等の外部記憶装置で実現される。インターネット網４０は、インターネットを利用可能な通信回線であり、有線・無線を問わない。
【００１２】
（専用ＩＤ取得の流れ）
次に、サービスの提供の必要な専用ＩＤの取得方法について、図１に示したサービス提供システムの処理動作と共に説明する。図３は、本発明に係る専用ＩＤ取得方法の概要を示すフローチャートである。まず、利用者ＰＣ端末１０Ａにおいて、ＷＷＷブラウザを起動した後、ＷＷＷサーバ２０にアクセスして認証情報、ダウンロード先端末アドレス、コンテンツ指定情報を送信する（ステップＳ１０１）。認証情報とは、利用者を認証するための情報であり、利用者ＩＤとパスワードを組み合わせたものが一般的である。指紋認証の場合は、指紋の特徴を示す情報、ＩＣカードを利用した場合は、ＩＣカードから読みこまれた利用者ＩＤとなる。ダウンロード先端末アドレスとは、購入したコンテンツを実際にダウンロードする端末のアドレスであり、本実施形態では、携帯端末１０Ｂを指定する。具体的には、携帯端末１０Ｂの電子メールアドレス等を指定する。コンテンツ指定情報とは、ダウンロードするコンテンツを指定する旨の情報であり、例えばコンテンツのファイル名等が利用できる。認証情報が、ＷＷＷサービス要求受付部２１に送信されると、ＷＷＷサービス要求受付部２１は、受信した認証情報を認証コントローラ２３に渡して認証処理を依頼する（ステップＳ１０２）。続いて、認証コントローラ２３は取得した認証情報に対応する認証用情報をユーザ認証用情報格納部３０から取得する（ステップＳ１０３）。さらに、認証コントローラ２３は認証情報と認証用情報の照合を行って認証情報が正しいかどうかの認証を行う（ステップＳ１０４）。次に、認証コントローラ２３は、認証結果をＷＷＷサービス要求受付部２１に返す（ステップＳ１０５）。
【００１３】
ＷＷＷサービス要求受付部２１が受け取った認証結果が正しければ、ＷＷＷサービス要求受付部２１は、利用者のＩＤとコンテンツ指定情報を専用ＩＤ生成部２５に渡して専用ＩＤの生成を依頼する（ステップＳ１０６）。専用ＩＤ生成部２５では、受け取ったコンテンツ指定情報および利用者ＩＤに対応する専用ＩＤの生成処理を行う（ステップＳ１０７）。具体的な専用ＩＤの生成のための計算処理としては、種々の手法が適用できるが、例えば、所定の桁数の乱数を発生した後、既に発行している専用ＩＤとの重複がないかどうかのチェックを行うことで生成できる。生成された専用ＩＤは、コンテンツ指定情報と対応付けられて専用ＩＤ格納テーブル２４に格納された後（ステップＳ１０８）、ＷＷＷサービス要求受付部２１に渡される（ステップＳ１０９）。ＷＷＷサービス要求受付部２１は、受け取った専用ＩＤをダウンロード先端末アドレスと共に、ＷＷＷサービス応答送信部２２に渡す（ステップＳ１１０）。ＷＷＷサービス応答送信部２２では、受け取った専用ＩＤを電子メールの文面内に含めるか添付ファイルとして作成した後、受け取ったダウンロード先端末アドレスに送信する（ステップＳ１１１）。ダウンロード先端末アドレスとして、利用者携帯端末１０Ｂのメールアドレスを指定しておけば、利用者携帯端末１０Ｂには、専用ＩＤが送信されることになる。
【００１４】
（専用ＩＤを利用したコンテンツ取得の流れ）
次に、専用ＩＤを利用したサービス提供方法の概要について、図１に示したサービス提供システムの処理動作と共に説明する。図４は、本発明に係るサービス提供方法の概要を示すフローチャートである。まず、利用者携帯端末１０ＢからＷＷＷサーバ２０にアクセスした後、専用ＩＤおよびコンテンツ指定情報を送信する（ステップＳ２０１）。ＷＷＷサービス要求受付部２１は、受け取った専用ＩＤおよびコンテンツ指定情報を認証コントローラ２３に渡して認証処理を依頼する（ステップＳ２０２）。続いて、認証コントローラ２３は、受け取ったコンテンツ指定情報を用いて専用ＩＤ格納テーブル２４を参照して対応する専用ＩＤを取得する（ステップＳ２０３）。さらに、認証コントローラ２３は、ＷＷＷサービス要求受付部２１から取得した専用ＩＤと、専用ＩＤ格納テーブル２４から取得した専用ＩＤとの照合を行うことにより認証処理を行う（ステップＳ２０４）。次に、認証コントローラ２３は、認証結果をＷＷＷサービス要求受付部２１に返す（ステップＳ２０５）。具体的には、認証結果が正しい場合には、認証コントローラ２３は、専用ＩＤ格納テーブル２４を利用して専用ＩＤに対応するコンテンツファイル名を取得して、ＷＷＷサービス要求受付部２１に送信することになる。
【００１５】
ＷＷＷサービス要求受付部２１が受け取った認証結果が正しければ、ＷＷＷサービス要求受付部２１は、コンテンツファイル名をＷＷＷサービス応答送信部２２に渡してコンテンツの送信を依頼する（ステップＳ２０６）。ＷＷＷサービス応答送信部２２は、受け取ったコンテンツファイル名でＷＷＷコンテンツ格納部３１を検索してコンテンツファイルを取得する（ステップＳ２０７）。さらに、ＷＷＷサービス応答送信部２２は取得したコンテンツファイルを要求のあった利用者携帯端末１０Ｂに送信する（ステップＳ２０８）。これにより利用者は、携帯端末で繁雑な作業を行う必要なく、ＷＷＷサーバにアクセスした後専用ＩＤを送信するだけで、目的とするコンテンツをダウンロードすることができる。コンテンツとしては、例えば、着信時に流れるメロディ等の携帯端末に特化されたデータをダウンロードするようにすれば、特に有効である。
【００１６】
サービスの提供は、専用ＩＤを用いれば、受けられることになるが、制限を設けることも可能である。例えば、専用ＩＤを用いてサービスの提供を受けた場合、１回のサービス提供が完了したら、ＷＷＷサーバ２０側では、専用ＩＤ格納テーブル２４からその専用ＩＤに関する内容を削除する等して、その専用ＩＤを１回しか利用できないようにすることができる。この場合、専用ＩＤは１回しか利用できないワンタイムＩＤとして利用されることになる。また、前記生成から所定の日数もしくは時間の経過後利用できなくなるようにしても良い。この場合、専用ＩＤ格納テーブル２４の生成時刻とＷＷＷサーバ２０が管理している現在時刻の差が所定の長さになったときにその専用ＩＤに関する内容を削除するようにすれば良い。
【００１７】
以上、本発明の好適な実施形態について説明したが、本発明は上記実施形態に限定されず、種々の変形が可能である。例えば、上記実施形態では、提供を受けるサービスをコンテンツのダウンロードサービスとしたが、ソフトウェアのＡＳＰ（アプリケーションサービスプロバイダ）サービスや、ＰＣで購入した広範なソフトウェアの利用権利の一部である携帯端末に特化した内容を利用するサービス等種々のサービスが適用可能である。
【００１８】
また、上記実施形態では、認証手続きを行った端末（利用者ＰＣ端末１０Ａ）とは別の目的とする端末（利用者携帯端末１０Ｂ）に専用ＩＤを送信するようにしたが、認証手続きを行った端末と、目的とする端末の両方に送信するようにしても良い。また、認証手続きを行った端末（利用者ＰＣ端末１０Ａ）のみに専用ＩＤを送信するようにしても良い。この場合、認証手続きを行った端末に出力・表示された専用ＩＤを利用者が見て、それを目的とする端末（利用者携帯端末１０Ｂ）から入力する。その後は、上記図４に示したフローチャートに従って、サービスの提供を受けることができる。
【００１９】
また、上記実施形態では、目的とする端末に専用ＩＤのみを送信するようにしたが、専用ＩＤをＷＷＷサーバ２０のＵＲＬに連続して記録して送信するようにしても良い。これにより利用者は受信したＵＲＬを設定してＷＷＷサーバ２０にアクセスする処理を行うだけで、ＷＷＷサーバ２０に専用ＩＤが送信されることになり、利用者の作業がより簡略化される。
【００２０】
【発明の効果】
以上、説明したように本発明によれば、第１の利用者端末と、第２の利用者端末がネットワークを介して、サービス提供サーバに接続されており、前記利用者端末から前記サービス提供サーバのサービスの提供を受けるためのシステムを、前記第１の利用者端末が、前記サービス提供サーバに対して提供を受けるサービスを指定すると共に当該サービスを受けるための専用ＩＤを要求する専用ＩＤ要求手段と、前記サービス提供サーバから専用ＩＤを受信する専用ＩＤ受信手段を有する構成とし、前記サービス提供サーバが、利用者端末からのアクセスを受け付けると共に、当該アクセスの種類を判断する要求受付手段と、前記アクセスの種類が専用ＩＤの要求である場合に前記利用者の認証を行う機能と、前記アクセスの種類がサービス提供の要求である場合に専用ＩＤの認証を行う機能を有する利用者認証手段と、前記利用者認証の結果正当な利用者であると判断された場合に特定サービス専用のＩＤである専用ＩＤを生成する専用ＩＤ生成手段と、前記生成された専用ＩＤを格納する専用ＩＤ格納手段と、前記アクセスの種類が専用ＩＤの要求である場合に、生成した専用ＩＤを前記利用者端末に送信する機能を有すると共に、前記アクセスの種類がサービス提供の要求である場合に、受信した専用ＩＤで前記専用ＩＤ格納手段を参照して対応するサービスに対応する情報を前記第２の利用者端末に送信する機能を有する応答送信手段を有する構成としたので、ある端末でコンテンツの選択、購入等の繁雑な手続を行い、他の端末で具体的にダウンロードを行うことが可能となるという効果を奏する。また、ある端末で高精度な認証を行い、他の端末で簡易にダウンロードを行うことが可能となるという効果も奏する。
【図面の簡単な説明】
【図１】本発明に係るサービス提供システムの一実施形態を示す構成図である。
【図２】専用ＩＤ格納テーブルの一例を示す図である。
【図３】本発明に係る専用ＩＤ取得方法の概要を示すフローチャートである。
【図４】本発明に係るサービス提供方法の概要を示すフローチャートである。
【符号の説明】
１０Ａ・・・利用者ＰＣ端末
１０Ｂ・・・利用者携帯端末
２０・・・ＷＷＷサーバ
２１・・・ＷＷＷサービス要求受付部
２２・・・ＷＷＷサービス応答送信部
２３・・・認証コントローラ
２４・・・専用ＩＤ格納テーブル
２５・・・専用ＩＤ生成部
３０・・・ユーザ認証用情報格納部
３１・・・コンテンツ格納部
【図１】
2004070426.tif 000003
【図２】
2004070426.tif 000004
【図３】
2004070426.tif 000005
【図４】
2004070426.tif 000006